【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】
前面側下部の前面下部構成部材に設けられた灰皿収納部に、灰受け凹部を有し該灰受け凹部が上向きとなって使用可能な通常状態と灰の取り出しが容易な傾倒状態とに可逆的に回動変換可能に灰皿部材を設けた遊技機において、
前記灰皿収納部の少なくとも一側壁に係止部を設ける一方、前記灰皿部材の側壁に前記係止部と滑動可能に接触する被係止部を設け、
前記灰皿部材は前記係止部の一側と前記被係止部の一側とによる第１の接触状態によって前記通常状態に係止保持され、
前記灰皿部材が、前記通常状態から前記第１の接触状態を解いて前記被係止部が前記係止部に対して滑動するのに必要な第１の回動力が付与されて前記傾倒状態に回動変換された後、再び前記通常状態に回動復帰される際に、前記係止部の他側と前記被係止部の他側とによる第２の接触状態が生じ、該第２の接触状態を解いて前記被係止部が前記係止部に対して滑動するのに必要な第２の回動力が付与されて前記通常状態に復帰するようになっていて、
前記第１の接触状態を生じさせる前記係止部の一側と前記被係止部の一側との接触部は、前記第２の接触状態を生じさせる前記係止部と前記被係止部との接触部に比べて、小さな曲率面同士で構成されていることを特徴とする遊技機。
【請求項２】
前記係止部は、
前記灰皿部材の回動軸から離れた高い位置に前後方向に帯状に水平に延びた状態に設けられ、
上部側に設けられた所定の曲率の前記灰皿収納部側曲部と、下部側に設けられ前記灰皿収納部よりも曲率の大きい係止解除曲部と、を備えることを特徴とする請求項１に記載の遊技機。
【手続補正２】
【補正対象書類名】明細書
【補正対象項目名】０００６
【補正方法】変更
【補正の内容】
【０００６】
【課題を解決するための手段】
上記課題を解決するため、
請求項１記載の発明は、前面側下部の前面下部構成部材に設けられた灰皿収納部に、灰受け凹部を有し該灰受け凹部が上向きとなって使用可能な通常状態と灰の取り出しが容易な傾倒状態とに可逆的に回動変換可能に灰皿部材を設けた遊技機において、
前記灰皿収納部の少なくとも一側壁に係止部を設ける一方、前記灰皿部材の側壁に前記係止部と滑動可能に接触する被係止部を設け、
前記灰皿部材は前記係止部の一側と前記被係止部の一側とによる第１の接触状態によって前記通常状態に係止保持され、
前記灰皿部材が、前記通常状態から前記第１の接触状態を解いて前記被係止部が前記係止部に対して滑動するのに必要な第１の回動力が付与されて前記傾倒状態に回動変換された後、再び前記通常状態に回動復帰される際に、前記係止部の他側と前記被係止部の他側とによる第２の接触状態が生じ、該第２の接触状態を解いて前記被係止部が前記係止部に対して滑動するのに必要な第２の回動力が付与されて前記通常状態に復帰するようになっていて、
前記第１の接触状態を生じさせる前記係止部の一側と前記被係止部の一側との接触部は、前記第２の接触状態を生じさせる前記係止部と前記被係止部との接触部に比べて、小さな曲率面同士で構成されていることを特徴としている。


【手続補正３】
【補正対象書類名】明細書
【補正対象項目名】０００７
【補正方法】変更
【補正の内容】
【０００７】
請求項１記載の発明によれば、灰皿収納部の少なくとも一側壁に係止部を設ける一方、灰皿部材の側壁に係止部と滑動可能に接触する被係止部を設け、灰皿部材は係止部の一側と被係止部の一側とによる第１の接触状態によって通常状態に係止保持され、灰皿部材が、通常状態から第１の接触状態を解いて被係止部が係止部に対して滑動するのに必要な第１の回動力が付与されて傾倒状態に回動変換された後、再び前記通常状態に回動復帰される際に、係止部の他側と被係止部の他側とによる第２の接触状態が生じ、該第２の接触状態を解いて被係止部が係止部に対して滑動するのに必要な第２の回動力が付与されて通常状態に復帰するようになっていて、第１の接触状態を生じさせる係止部の一側と被係止部の一側との接触部は、第２の接触状態を生じさせる係止部と被係止部との接触部に比べて、小さな曲率面同士で構成されていることから、灰皿部材を通常状態から傾倒状態に回動変換するときに要する回動力の方が、灰皿部材を傾倒状態から通常状態に回動復帰させるときに要する回動力よりも大きくなるので、遊技者が煙草を吸って灰皿部材を使用しても、灰皿部材は傾動することなくその通常状態のまま保たれる安定性が得られる一方で、灰皿部材を強制的に傾動させて煙草の吸いがらや灰等を回収した後で通常状態に復帰させるときの回動復帰作業が容易となる。
より具体的には、遊技者等が誤って灰皿部材を下から突いた場合でも、容易に灰皿部材が傾倒してしまうことがなく、灰がこぼれ難くなる。
また、灰皿部材を係止する灰皿収納部係止部および灰皿側被係止部を灰皿部材の側方に設けたので、前後方向に隙間が出来にくい。
特に、第１の接触状態を生じさせる係止部の一側と被係止部の一側との接触部は、第２の接触状態を生じさせる係止部と被係止部との接触部に比べて、小さな曲率面同士で構成されているので、係止するときには、抵抗力が小さく、係止を解除するときには抵抗力を大きくさせることが出来ることとなって、灰皿部材の灰皿収納部への係止がし易く、係止解除がし難く、灰がこぼれ難いものとなる。また、接触部を曲率面としたことにより、通常状態から第１の接触状態への移行及び接触状態から滑動状態への移行がスムーズとなる。
【手続補正４】
【補正対象書類名】明細書
【補正対象項目名】０００９
【補正方法】変更
【補正の内容】
【０００９】
請求項２記載の発明は、請求項１記載の遊技機において、前記係止部は、
前記灰皿部材の回動軸から離れた高い位置に前後方向に帯状に水平に延びた状態に設けられ、
上部側に設けられた所定の曲率の前記灰皿収納部側曲部と、下部側に設けられ前記灰皿収納部よりも曲率の大きい係止解除曲部と、を備えることを特徴とする請求項１に記載の遊技機。
【手続補正５】
【補正対象書類名】明細書
【補正対象項目名】００１０
【補正方法】変更
【補正の内容】
【００１０】
請求項２記載の発明によれば、特に、係止部は、灰皿部材の回動軸から離れた高い位置に前後方向に帯状に水平に延びた状態に設けられ、上部側に設けられた所定の曲率の灰皿収納部側曲部と、下部側に設けられ灰皿収納部よりも曲率の大きい係止解除曲部と、を備えたことから、係止するときには抵抗力が小さく、係止を解除するときには抵抗力を大きくさせることが出来ることとなって、灰皿部材の灰皿収納部への係止がし易く、係止解除がし難く、灰がこぼれ難いものとなる。
また、接触部を曲率面としたことにより、通常状態から第１の接触状態への移行及び接触状態から滑動状態への移行がスムーズとなる。


【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００３７
【補正方法】変更
【補正の内容】
【００３７】
【発明の効果】
請求項１記載の発明によれば、灰皿収納部の少なくとも一側壁に係止部を設ける一方、灰皿部材の側壁に係止部と滑動可能に接触する被係止部を設け、灰皿部材は係止部の一側と被係止部の一側とによる第１の接触状態によって通常状態に係止保持され、灰皿部材が、通常状態から第１の接触状態を解いて被係止部が係止部に対して滑動するのに必要な第１の回動力が付与されて傾倒状態に回動変換された後、再び前記通常状態に回動復帰される際に、係止部の他側と被係止部の他側とによる第２の接触状態が生じ、該第２の接触状態を解いて被係止部が係止部に対して滑動するのに必要な第２の回動力が付与されて通常状態に復帰するようになっていて、第１の接触状態を生じさせる係止部の一側と被係止部の一側との接触部は、第２の接触状態を生じさせる係止部と被係止部との接触部に比べて、小さな曲率面同士で構成されていることから、灰皿部材を通常状態から傾倒状態に回動変換するときに要する回動力の方が、灰皿部材を傾倒状態から通常状態に回動復帰させるときに要する回動力よりも大きくなるので、遊技者が煙草を吸って灰皿部材を使用しても、灰皿部材は傾動することなくその通常状態のまま保たれる安定性が得られる一方で、灰皿部材を強制的に傾動させて煙草の吸いがらや灰等を回収した後で通常状態に復帰させるときの回動復帰作業が容易となる。
より具体的には、遊技者等が誤って灰皿部材を下から突いた場合でも、容易に灰皿部材が傾倒してしまうことがなく、灰がこぼれ難くなる。
また、灰皿部材を係止する灰皿収納部係止部および灰皿側被係止部を灰皿部材の側方に設けたので、前後方向に隙間が出来にくい。
特に、第１の接触状態を生じさせる係止部の一側と被係止部の一側との接触部は、第２の接触状態を生じさせる係止部と被係止部との接触部に比べて、小さな曲率面同士で構成されているので、係止するときには抵抗力が小さく、係止を解除するときには抵抗力を大きくさせることが出来ることとなって、灰皿部材の灰皿収納部への係止がし易く、係止解除がし難く、灰がこぼれ難いものとなる。
また、接触部を曲率面としたことにより、通常状態から第１の接触状態への移行及び接触状態から滑動状態への移行がスムーズとなる。
【手続補正１１】
【補正対象書類名】明細書
【補正対象項目名】００３８
【補正方法】変更
【補正の内容】
【００３８】
請求項２記載の発明によれば、特に、係止部は、灰皿部材の回動軸から離れた高い位置に前後方向に帯状に水平に延びた状態に設けられ、上部側に設けられた所定の曲率の灰皿収納部側曲部と、下部側に設けられ灰皿収納部よりも曲率の大きい係止解除曲部と、を備えたことから、係止するときには抵抗力が小さく、係止を解除するときには抵抗力を大きくさせることが出来ることとなって、灰皿部材の灰皿収納部への係止がし易く、係止解除がし難く、灰がこぼれ難いものとなる。
また、接触部を曲率面としたことにより、通常状態から第１の接触状態への移行及び接触状態から滑動状態への移行がスムーズとなる。


【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】削除
【補正の内容】